(57)【要約】  【課題】  液晶モニターを回転させる角度と方向を広げることのできるデジタルビデオカメラを提供する。ことを課題とする。  【解決手段】  デジタルビデオカメラのレンズのスリーブとビデオカメラ本体とを枢支する第一枢支点と、レンズのスリーブと液晶モニターの中心から外れた位置か、もしくはコーナー部に近接した位置に設けられ、該レンズのスリーブと該液晶モニターとを枢支する第二枢支点とを具え構成される。【選択図】図７
0003110166.tif 000002
【実用新案登録請求の範囲】
【請求項１】
レンズのスリーブとビデオカメラ本体とを枢支する第一枢支点と、
レンズのスリーブと液晶モニターの中心から外れた位置か、もしくはコーナー部に近接した位置に設けられ、
該レンズのスリーブと該液晶モニターとを枢支する第二枢支点とを具えることを特徴とするデジタルビデオカメラ。
【請求項２】
前記第一枢支点が枢軸を具え、該液晶モニターが該枢軸を支点として回転するか、もしくは角度の調整を行うことを特徴とする請求項１に記載のデジタルビデオカメラ。
【請求項３】
前記第二枢支点が枢軸を具え、該液晶モニターが該枢軸を支点として回転するか、もしくは角度の調整を行うことを特徴とする請求項１に記載のデジタルビデオカメラ。
【請求項４】
前記第二枢支点が枢軸を具え、該液晶モニターが該枢軸を支点として回転するか、もしくは角度の調整を行うことを特徴とする請求項２に記載のデジタルビデオカメラ。
【請求項５】
液晶モニターと、
一端がビデオカメラ本体に連結し、他端は該液晶モニターの中心から外れた位置か、もしくはコーナー部に近接した位置に連結する枢支座とを具えることを特徴とするデジタルビデオカメラ。
【請求項６】
前記枢支座が該デジタルビデオカメラのレンズのスリーブに連結することを特徴とする請求項５に記載のデジタルビデオカメラ。
【請求項７】
前記枢支座が該デジタルビデオカメラのレンズのスリーブと一体に成形されることを特徴とする請求項６に記載のデジタルビデオカメラ。
【請求項８】
前記枢支座が、該デジタルビデオカメラのレンズのスリーブの外部表面に枢支され、該液晶モニターが該レンズのスリーブに対して回転するように構成されることを特徴とする請求項５に記載のデジタルビデオカメラ。
【請求項９】
前記枢支座が、該デジタルビデオカメラ本体のハウジングに枢支され、該液晶モニターが該デジタルビデオカメラ本体のハウジングに対して回転するように構成されることを特徴とする請求項５に記載のデジタルビデオカメラ。
【請求項１０】
前記枢支座と該デジタルビデオカメラ本体のハウジングに設けられた枢支座に連結し、該液晶モニターが該デジタルビデオカメラ本体のハウジングに対して回転するように構成されることを特徴とする請求項５に記載のデジタルビデオカメラ。
【考案の詳細な説明】
【技術分野】
【０００１】
この考案はデジタルビデオカメラに関し、特に水平、もしくは垂直の任意の方向に回転させることのできるデジタルビデオカメラの液晶モニターに関する。
【背景技術】
【０００２】
目下市販されているデジタルビデオカメラは、メーカーによって外観のデザインが異なるが、その液晶モニターの枢軸に係る設計には２種類有る。一つは図１に開示する水平軸であって、液晶モニター１０の枢支座１１は、液晶モニター１０のフレームの中間に設け、液晶モニター１０を使用する場合は、予め水平軸を支点として回転させる。この場合液晶モニター１０は図面に開示する経路１２に沿って回転する。次いで液晶モニター１０を引き起こして垂直にする。この場合液晶モニター１０は経路１３に沿って回転する。但し、液晶モニター１０の動作はこれらに限定されている。
【０００３】
他の一種類は、図２に開示するように液晶モニター２０の枢支座２１を同様に液晶モニター２０のフレームの中間に設ける。液晶モニター２０を使用する場合は、水平方向の経路２２に沿って引き起こし、レンズと略平行する位置に到るまで回転させ、更に経路２３に沿って回転させる。但し、液晶モニター２０の動作はこれらに制限されている。
【０００４】
上述するそれぞれの形式は、いずれも市場において所定のシェアを有する。但し、いずれの形式であろうと液晶モニターの動作に制限があるため、消費者は係る操作上の制限を受けいれることしかできない。よって改善の必要がある。
【考案の開示】
【考案が解決しようとする課題】
【０００５】
この考案は液晶モニターを回転させる角度と方向を広げることのできるデジタルビデオカメラを提供することを課題とする。
【課題を解決するための手段】
【０００６】
そこで、本考案者は従来の技術に見られる欠点に鑑み鋭意研究を重ねた結果、レンズのスリーブとビデオカメラ本体とを枢支する第一枢支点と、レンズのスリーブと液晶モニターの中心から外れた位置か、もしくはコーナー部に近接した位置に設けられ、該レンズのスリーブと該液晶モニターとを枢支する第二枢支点とを具えるデジタルビデオカメラの構造によって課題を解決できる点に着眼し、かかる知見に基づいて本考案を完成させた。
【０００７】
以下、この考案について具体的に説明する。
請求項１に記載するデジタルビデオカメラは、レンズのスリーブとビデオカメラ本体とを枢支する第一枢支点と、
レンズのスリーブと液晶モニターの中心から外れた位置か、もしくはコーナー部に近接した位置に設けられ、
該レンズのスリーブと該液晶モニターとを枢支する第二枢支点とを具える。
【０００８】
請求項２に記載するデジタルビデオカメラは、請求項１における第一枢支点が枢軸を具え、該液晶モニターが該枢軸を支点として回転するか、もしくは角度の調整を行う。
【０００９】
請求項３に記載するデジタルビデオカメラは、請求項1における第二枢支点が枢軸を具え、該液晶モニターが該枢軸を支点として回転するか、もしくは角度の調整を行う。
【００１０】
請求項４に記載するデジタルビデオカメラは、請求項２における第二枢支点が枢軸を具え、該液晶モニターが該枢軸を支点として回転するか、もしくは角度の調整を行う。
【００１１】
請求項５に記載するデジタルビデオカメラは、液晶モニターと、
一端がビデオカメラ本体に連結し、他端は該液晶モニターの中心から外れた位置か、もしくはコーナー部に近接した位置に連結する枢支座とを具える、
【００１２】
請求項６に記載するデジタルビデオカメラは、請求項５における枢支座が該デジタルビデオカメラのレンズのスリーブに連結する。
【００１３】
請求項７に記載するデジタルビデオカメラは、請求項６における枢支座が該デジタルビデオカメラのレンズのスリーブと一体に成形される。
【００１４】
請求項８に記載するデジタルビデオカメラは、請求項５における枢支座が、該デジタルビデオカメラのレンズのスリーブの外部表面に枢支され、該液晶モニターが該レンズのスレーブに対して回転するように構成される。
【００１５】
請求項９に記載するデジタルビデオカメラは、請求項５における枢支座が、該デジタルビデオカメラ本体のハウジングに枢支され、該液晶モニターが該デジタルビデオカメラ本体のハウジングに対して回転するように構成される。
【００１６】
請求項１０に記載するデジタルビデオカメラは、請求項５における枢支座と該デジタルビデオカメラ本体のハウジングに設けられた枢支座に連結し、該液晶モニターが該デジタルビデオカメラ本体のハウジングに対して回転するように構成される。
【考案の効果】
【００１７】
本考案のビデオカメラは、液晶モニターを回転させる方向と角度が従来の技術に比して更に自由になり、実用的であるという利点がある。
【考案を実施するための最良の形態】
【００１８】
この考案は液晶モニターが水平、もしくは垂直の任意の方向に回転させることのできるデジタルビデオカメラを提供するものであって、レンズのスリーブとビデオカメラ本体とを枢支する第一枢支点と、レンズのスリーブと液晶モニターの中心から外れた位置か、もしくはコーナー部に近接した位置に設けられ、該レンズのスリーブと該液晶モニターとを枢支する第二枢支点とを具え構成される。
係るビデオカメラについて、その構造と特徴を詳述するために具体的な実施例を挙げ、以下に説明する。
【実施例１】
【００１９】
この考案によるデジタルビデオカメラ３０は、デジタルビデオカメラの具えるべき部材、もしくは装置などを具えたものであって、例えば光学レンズ、フラッシュ、マイクロフォン、画像出力ポート、メモリユニット、書き込み可能なＤＶＤ、もしくは磁気テープなどであるが、但しこれらに限られることはない。
【００２０】
該光学レンズのスリーブと本体の間には、枢軸（図示しない）を具える第一枢支点３２を形成する。また、液晶モニター２０の中心から外れた位置か、コーナー部に近接した位置と、光学レンズのスリーブとの間に枢軸（図示しない）を具える第二枢支点３３を形成する。
【００２１】
この考案による効果は図４から６に開示する通りである。デジタルビデオカメラ３０をテーブルの上などに置いた場合、第二枢支点３３の回転軸を支点とし、経路３３００に沿って液晶モニター２０を引き起こす。係る動作は一般のノートブックタイプのコンピュータの表示装置を起こす動作に類似し、撮影したり、録画した内容を確認したりする場合の操作である。これは、目下従来の製品の構造が提供することのできない便利さの得られるものである。
【００２２】
また、図６、７に開示するようにデジタルビデオカメラ３０の液晶モニター２０は、第一枢支点３２の枢軸を支点として経路３２００に沿って回転させることができ、次いで経路３３００に沿って液晶モニター２０の角度を調整することができる。これは、目下従来の製品の構造が提供することのできない便利さの得られるものである。
【００２３】
当然のことながら、図８に開示するように液晶モニター２０とデジタルビデオカメラ３０との間に別途枢支座を設けて連結してもよい。液晶モニター３１は、レンズスリーブの外部表面に枢支するか、もしくは本体ハウジングの凸起こした枢支座に枢支する。係る構造もまた本考案の実施の範囲に含まれることは、この分野の技術を熟知した当業者が理解できるものである。
【００２４】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２５】
【図１】従来のビデオカメラの液晶モニターの動作を示した説明図である。
【図２】従来の他のビデオカメラの液晶モニターの動作を示した説明図である。
【図３】この考案によるビデオカメラの外観を示した斜視図である
【図４】図３に開示するビデオカメラの液晶モニターの動作を示した説明図である。
【図５】図３に生地するビデオカメラの液晶モニターを起こした状態を示した斜視図である。
【図６】図３に開示するビデオカメラの液晶モニターの他の動作を示した説明図である。
【図７】図３に開示するビデオカメラの液晶モニターのその他動作を示した説明図である。
【図８】他の実施形態によるビデオカメラの液晶モニターの動作を示した説明図である。
【符号の説明】
【００２６】
１０      液晶モニター
１１      枢支座
１２      経路
１３      経路
２０      液晶モニター
２１      枢支座
２２      経路
２３      経路
３０      デジタルビデオカメラ
３１      液晶モニター
３２      第一枢支点
３３      第二枢支点
３２００  経路
３３００  経路
【図１】
0003110166.tif 000003
【図２】
0003110166.tif 000004
【図３】
0003110166.tif 000005
【図４】
0003110166.tif 000006
【図５】
0003110166.tif 000007
【図６】
0003110166.tif 000008
【図７】
0003110166.tif 000009
【図８】
0003110166.tif 000010